(57)【特許請求の範囲】
【請求項１】
容器本体の底部に吊り具を形成した吊り具付き容器において、前記吊り具は前記底部に固定していて前記容器本体の中心軸方向に取り付けられる基部と前記底部に対して回転中心回りに回転可能なフックと及び前記フックを前記回転が可能に前記基部に連結する屈曲部とを有し、前記フック上の辺縁部よりも内側の領域において前記屈曲部近傍に前記回転中心に直交する方向に突出した係止部を設け、前記底部に容器本体の中心の方向に突出して形成される容器脚より容器本体の内側に後退した陥没部を設け、前記陥没部に被係止部を設け、前記係止部と被係止部との係合によって前記フックの倒伏姿勢を保持するように構成し、前記係止部はブロー成形機の金型の合わせ目に形成される前記フック上で樹脂の押し込みによって形成され、前記被係止部は容器底部においてブロー成形機の金型による樹脂の喰い切り部の近傍においてブローによって形成されていることを特徴とする吊り具付きブロー成形容器
【請求項２】
前記係止部は前記フック上の前記底部の中央部の近傍に設けられており、前記被係止部は前記底部の中央部の近傍に設けられていることを特徴とする請求項１記載の吊り具付きブロー成形容器。
【請求項３】
前記係止部の前記基部に向かう面は前記中心軸方向に前記容器本体から遠ざかるにしたがって前記基部から遠ざかる方向に傾斜する面を有することを特徴とする請求項１または２の吊り具付きブロー成形容器。
【請求項４】
前記被係止部は前記中心軸方向に前記容器本体に近づくにしたがって前記基部から遠ざかる方向に傾斜する面を有することを特徴とする請求項１または２の吊り具付きブロー成形容器。
【請求項５】
前記底部には前記中心軸方向の容器内方に窪む前記吊り具を収容可能な陥没部を設けて、前記被係止部を前記陥没部の側壁面上に形成したことを特徴とする請求項１から４のいずれかに記載の吊り具付きブロー成形容器。
【発明の詳細な説明】
【０００１】
【産業上の利用分野】
この発明は吊り具付きブロー成形容器及びブロー成形方法に関するものである。点滴に使用する輸液容器などとしてはプラスチック製の容器が、軽量で取り扱いが容易なため広く用いられている。輸液容器は内容物の充填、殺菌工程や、流通段階においては自立した正立状態で扱う方が取り扱いやすいが、内容物を使用する段階では容器は出口を下にした倒立状態に（逆さに）吊り下げる必要がある。そこで輸液容器の形状は、自立性のあるボトル型として、その底部に吊り下げフックなどの吊り具を設けて、容器の吊り下げ時にはその吊り具を起立させてハンガーにかけて吊り下げ可能とし、この吊り具の不使用時には吊り具を倒伏させて容器の底部に収容して、容器の自立性を阻害しないような容器が開発され、使用されている（実開昭５６−８８６３６号公報、特開平７−１４８８２９号公報参照）。
【０００２】
これらの吊り具は起立状態か倒伏状態かの２姿勢のうちのいずれかの姿勢を確実に保持していることが必要であって、仮に、吊り具が起立状態と倒伏状態との間の中間位置で遊動可能な状態にあると容器の正立状態が不安定になったり、洗浄工程において吊り具が他の容器の吊り具と密着して容器の分離の妨げとなったり、或いは容器を吊り下げる作業の円滑性を阻止することになり得る。
【０００３】
そこで、これらの吊り具には、例えば凹凸またはアンダーカットで構成する係止部と被係止部とからなる姿勢保持機構を設けて、両者の係合によって吊り具の姿勢を保持することが行われている。
【０００４】
【課題】
しかるにこの容器底部に吊り具の姿勢保持機構を設ける場合に、吊り具を容器とは別体として構成して容器底部に取り付ける場合は、部品点数が増加し、工程数が増加する。そこで吊り具を容器と一体として、容器をブロー成形するときに同時に吊り具も成形することも行われている。
【０００５】
しかし、ブロー成形容器は省資源の観点からパリソンも薄肉になっているうえに、係合箇所が、脂喰切部より離れた位置に形成される為、これらの吊り具の係合部をブローで成形するには樹脂量が不足して形状が安定しない。このようなことから、吊り具の確実な拘束機構をもつプラスチック成形容器をブロー成形によって安定して製造することができるブロー成形技術の開発が望まれている。
【０００６】
この発明は上記の如き事情に鑑みてなされたものであって、吊り具の遊動を確実に拘束することができ、かつ吊り具をブロー成形で安定的に形成することができる吊り具付きブロー成形容器及びその製造方法を提供することを目的とするものである。
【０００７】
この目的に対して、この発明の吊り具付きブロー成形容器は、容器本体の底部に吊り具を形成した吊り具付き容器において、前記吊り具は前記底部に固定していて前記容器本体の中心軸方向に取り付けられる基部と前記底部に対して回転中心回りに回転可能なフックと及び前記フックを前記回転が可能に前記基部に連結する屈曲部とを有し、前記フック上の辺縁部よりも内側の領域において前記屈曲部近傍に前記回転中心に直交する方向に突出した係止部を設け、前記底部に容器本体の中心の方向に突出して形成される容器脚より容器本体の内側に後退した陥没部を設け、前記陥没部に被係止部を設け、前記係止部と被係止部との係合によって前記フックの倒伏姿勢を保持するように構成し、前記係止部はブロー成形機の金型の合わせ目に形成される前記フック上で樹脂の押し込みによって形成され、前記被係止部は容器底部においてブロー成形機の金型による樹脂の喰い切り部の近傍においてブローによって形成されていることを特徴としている。
【０００８】
【実施例】
以下この発明の詳細を一実施例を示す図面について説明する。
図１から図４において、１は吊り具付きブロー成形容器である。吊り具付きブロー成形容器１は容器本体２の底部３に吊り具４を備えている。底部３は４隅に容器脚５が容器本体２の中心６の方向に突出して形成されており、この容器脚５で囲まれた部分が相対的に容器本体２の内側に後退した陥没部７を構成している。陥没部７は２段の高さになっていて底部３の長径または短径の方向に形成された最も容器本体２の内側に後退した位置にある底面８と、底面８の両側にあってかつ容器脚５の間に位置する段差部９とからなっている。段差部９の下面１０の中心軸６方向の位置は容器脚５の先端面１５からＨだけ後退している。陥没部７の中心は底部３の中心と一致している。底部３には吊り具４が容器本体２と一体に形成されている。
【０００９】
吊り具４は基部１１とフック１２とを備えている。基部１１は底面８に一体的に固定していて容器本体２の中心軸６の方向に取り付けられる。フック１２は薄肉の屈曲可能な屈曲部１３を介して基部１１に連結しており、屈曲部１３を回転中心１４として回転可能であり、この回転によってフック１２は中心６と平行な起立姿勢２１と、中心６と垂直をなす倒伏姿勢２２とをとり得る。フック１２には吊り下げ用のフック孔１６が形成されている。フック１２には屈曲部１３の直近に係止突起１７が突出形成されており、また段差部９の側面２３には被係止部１８が形成されている。
【００１０】
係止突起１７は回転中心１４に直交する横方向に突出しており、また被係止部１８はフック１２が起立姿勢２１からほぼ９０°回転して倒伏姿勢２２となったときに、係止突起１７が弾性的に干渉して係止突起１７を摩擦力で拘束できる位置に形成され、そのような被係止部１８は段差部９の側面２３を中心６に平行な平面として構成し、または中心６の方向に容器本体２の内側に向かうほど奥行きが深くなる傾斜面として構成する。係止突起１７が倒伏姿勢２２にあるときは、係止突起１７は段差部９の下面１０下の高さＨの空間２４に納まっている。
【００１１】
この係止突起１７はブロー成形機の金型の合わせ目で形成されるフック１２上で樹脂の押し込みによって形成される。すなわち、図５に示すように、フック１２を形成する両方の金型部材２５及び２６において、一方の金型部材２５に樹脂流れ込み用凹入部２７を設け、これに対向する位置で他方の金型部材２５に樹脂押し込み用凸出部２８を設け、金型部材２５、２６間の樹脂を凸出部２８で凹入部２７に押し込んで形成する。一方、被係止部１８である段差部９の側面２３は底部３を形成する金型部材３１内で容器本体２及び底部３と共にブローで成形する。被係止部１８を構成する段差部９の側面２３は底部３の中央部寄りにあるので、ブロー成形時の金型部材のパーティングライン上の樹脂喰い切り部の近傍に位置することになる。
【００１２】
このように構成された吊り具付きブロー成形容器１においては、吊り具４のフック１２は回転中心１４の回りに１８０°の回転が可能で、起立姿勢２１と倒伏姿勢２２の両姿勢をとることができ、起立姿勢２１ではフック１２のフック孔１６を利用して容器本体２をハンガーなどに容器の口を下にして吊り下げることができ、倒伏姿勢２２では係止突起１７が被係止部１８に摩擦係合によって係止し、フック１２は拘束されて、その遊動は抑止される。
【００１３】
この倒伏姿勢２２においてはフック１２は段差部９下の空間２４内に収容されるので、フック１２が容器脚５よりも外側に突出することはない。係止突起１７は金型部材２５、２６の合わせ目内のパリソンの充分な量の樹脂を押し込んで形成するので、充分な強度を持たせることができ、また、被係止部１８を構成する側面２３も、ブローによって延伸成形されるものの、その位置は延伸量が少なくて充分な樹脂量があるパーティングライン沿いでの樹脂の喰い切り部に形成されるので、充分な樹脂量によって充分な強度をもって形成することができる。
【００１４】
係止突起１７と被係止部１８の形状については、図６に示すように、係止突起１７の基部１１に向かう側面３２は中心６方向に容器本体２から遠ざかるにしたがって基部１１から遠ざかる方向に傾斜する斜面として構成し、または被係止部１８の基部１１に向かう側面３３は中心６方向に容器本体２に近づくにしたがって基部１１から遠ざかる方向に傾斜する斜面として構成すれば、係止突起１７と被係止部１８との係合がよりスムーズに行われて好ましい。
【００１５】
なお、上記実施例においては、底部３には吊り具４が容器本体２と一体に形成され、吊り具４の基部１１は底面８に一体的に固定するものであるが、吊り具４が容器本体２とは別体に形成され、底面８に固定されるものであっても良い。
【００１６】
【効果】
以上の説明から明らかな通り、この発明によれば吊り具の遊動を確実に拘束することができ、かつ吊り具の係合部をブロー成形で形成することができる吊り具付きブロー成形容器及びその製造方法を得ることができる。
【００１７】
【図面の簡単な説明】
【図１】この発明の一実施例に係る吊り具付きブロー成形容器の底部を示す斜視説明図。
【図２】吊り具の断面説明図。
【図３】吊り具の正面説明図。
【図４】吊り具の側面説明図。
【図５】ブロー成形時の金型の合わせ目を示す断面説明図。
【図６】係止突起と被係止部を示す断面拡大説明図。
【符号の説明】
１    吊り具付きブロー成形容器
２    容器本体
３    底部
４    吊り具
５    容器脚
６    中心
７    陥没部
８    底面
９    段差部
１０  下面
１１  基部
１２  フック
１３  屈曲部
１４  回転中心
１５  先端面
１６  フック孔
１７  係止突起
１８  被係止部
１９  先端面
２１  起立姿勢
２２  倒伏姿勢
２３  側面
２４  空間
２５  金型部材
２６  金型部材
２７  凹入部
２８  凸出部
３１  金型部材
３２  側面
３３  側面
【図１】
0004075420.tif 000002
【図２】
0004075420.tif 000003
【図３】
0004075420.tif 000004
【図４】
0004075420.tif 000005
【図５】
0004075420.tif 000006
【図６】
0004075420.tif 000007